(57)【特許請求の範囲】
【請求項１】
トラック毎に多数のオーディオパックが記録されると共にテキスト情報パックが該オーディオパック間に離散的に記録される記憶媒体のオーディオ再生方法において、
テキスト情報パックに含まれるテキスト情報に応じたオーディオデータが含まれるオーディオパックを特定できるように該テキスト情報をメモリに記憶し、
所定トラックのテキスト情報により音楽曲の歌詞を表示し、
所定の２箇所の歌詞部分が指示された時、該歌詞部分のテキスト情報間に応じたオーディオパックよりオーディオデータの再生を行なう、
ことを特徴とする記憶媒体の再生方法。
【発明の詳細な説明】
【０００１】
【発明の属する技術分野】
本発明は、記憶媒体のオーディオ再生方法に係わり、特に、トラック毎に多数のオーディオパックが記録されると共にテキスト情報パックが該オーディオパック間に離散的に記録される記憶媒体のオーディオ再生方法に関する。
【０００２】
【従来の技術】
現在DVD-Audio規格には「静止画情報」や「動画情報」、「テキスト情報」などの情報が含まれている。その中でも、「テキスト情報」には、集中記録型の「静的テキスト情報」とリアルタイム型の「動的テキスト情報(リアルタイム情報)」が存在する。この「動的テキスト情報」はオーディオデータ記録領域に記録されており、オーディオ再生に同期してテキスト情報を読み出して表示することができる。したがって、「動的テキスト情報」を音楽の歌詞とすれば音楽を再生しながら歌詞を表示装置に表示することができる。
【０００３】
【発明が解決しようとする課題】
従来は前記動的テキスト情報、例えば歌詞をオーディオデータの再生と同期して読み取って表示する使い方しかなかった。
以上から本発明の目的は、動的テキスト情報を用いて再生位置を特定し、該位置より再生を開始できるようにすることである。
本発明の別の目的は、DVD-Audioのプレイアビリティを向上することである。
【０００４】
【課題を解決するための手段】
本発明は、トラック毎に多数のオーディオパックが記録されると共にテキスト情報パックが該オーディオパック間に離散的に記録される記憶媒体のオーディオ再生方法であり、(１)テキスト情報パックに含まれるテキスト情報に応じたオーディオデータが含まれるオーディオパックを特定できるように該テキスト情報をメモリに記憶し、(２)所定トラックのテキスト情報により音楽曲の歌詞を表示し、(３)所定の２箇所の歌詞部分が指示された時、該歌詞部分のテキスト情報間に応じたオーディオパックよりオーディオデータの再生を行なう。
【０００５】
以上のようにすれば、動的テキスト情報を用いて再生位置を特定し、該位置より再生を開始し、あるいは繰り返し再生を行なうことができる。また、テキスト情報部分が2箇所指示されたとき、その間のオーディオデータを再生し、あるいは繰り返し再生を行なうことができる。この結果、DVD-Audioのプレイアビリティを向上することができる。
【０００６】
【発明の実施の形態】
(A)DVDプレーヤの構成
図１はDVDプレーヤの構成図であり、10はターンテーブル上に載置されたDVDディスク、11はディスクチェンジャ、12はターンテーブルを周速一定で回転するスピンドルモータ、14はDVDディスクよりデータを読み取る光ピックアップ、１６はピックアップをディスク半径方向に送る送りモータ、18はトラッキングサーボ制御、フォーカスサーボ制御、周速一定制御を行うサーボ制御部、22はピックアップにより読み取られた信号を増幅するRFアンプ、24はRF信号にデジタル信号処理(復調、誤り訂正、デスクランブル等)を施してデータストリームにして出力するデジタル信号処理部、26はRAM、30は入力するデータストリームをオーディオストリーム、ビデオストリーム、サブピクチャストリームに分離するストリーム分離部である。
【０００７】
32は圧縮音声データをPCM音声データに変換するオーディオデコーダ、34はRAM、36は圧縮ビデオデータを映像データに変換するビデオデコーダ、38はRAM、40は圧縮サブピクチャデータをサブピクチャの映像データに変換するサブピクチャデコーダ、42はRAM、44は各種ビデオ信号処理を行うビデオプロセッサ、46はキャラクタ画像を発生するキャラクタ画像発生部、47はディスプレイ装置、48はDA変換器、49はスピーカ、58は操作部、60はシステムコントローラである。
【０００８】
システムコントローラ60は各種制御を行うが、本発明に関係する制御として動的テキスト情報(リアルタイム情報)を使用した再生制御である。すなわち、DVD-Audioのオーディオデータ記憶領域に記録されている動的テキスト情報（例えば曲の歌詞）を収集してメモリ６０ａに記憶し、必要に応じて該歌詞を図2に示すようにディスプレイ装置４７に表示し、指示された歌詞部分からの再生制御を行なう。
【０００９】
(Ｂ)DVD-Audioディスクの論理データ構造
図3はDVD-Audioディスクの論理データ構造説明図である。DVD-Audioディスクは、▲１▼DVDボリュームゾーン、▲２▼オーディオコンテンツを記録するDVDオーディオゾーン、▲３▼ビデオコンテンツを記録するDVDビデオゾーン、▲４▼ＤＶＤアザーズゾーンで構成され、前後にリードインエリア、リードアウトエリアが設けられている。
DVDオーディオゾーンには、▲１▼シンプルオーディオマネージャSAMG、▲２▼オーディオマネージャAMG、▲３▼オーディオスチルビデオセットASVS、▲４▼1つ以上(最大99)のオーディオタイトルセットATSが記録される。
【００１０】
DVD-Audioは、大容量であることから、複数のCDアルバムに相当する数多くのトラックを記録することが可能である。このため、アクセス性向上のため、連続して再生すべきトラック(曲)をひとまとめにして新しいアクセス単位Group(グループ)を定義している。このGroupは、1つ以上のオーディオタイトルATTをシーケンシャルに接続して構成した連続的に再生可能な論理単位である。前記オーディオタイトルセットATSは１つのグループに対応し、ATS内のナビゲーションデータとオーディオオブジェクト(AOB)、又はATS内のナビゲーションデータとビデオオブジェクト（VOB）の音声部分によって定義されるオーディオオンリータイトルAOTTを定義する論理ユニットである。
すなわち、オーディオタイトルセットATSは、▲１▼オーディオタイトルセット情報ATSIと、▲２▼ AOTT用のオーディオオブジェクト(AOTT-AOB)の集合体であるAOTT用オーディオオブジェクトセット(AOTT-AOBS)と、▲３▼ATSIのバックアップATSI(Back Up)で構成される。
【００１１】
AOTT用オーディオオブジェクトセットAOTT-AOBSは図4に示すように、複数のAOTT-AOB(AOTT用オーディオオブジェクト)の集合体であり、１つのAOTT-AOBが1トラックに対応する。AOTT-AOB は、多数のオーディオセルATS-Cで構成され、各オーディオセルATS-Cはオーディオデータである複数のオーディオパックA-PCKで構成され、適所にリアルタイム情報(動的テキスト情報)であるリアルタイムパックRTI-PCKが挿入されている。リアルタイム情報は例えば歌詞であり、歌詞部分に相当するオーディオセルATS-Cの適所に該歌詞部分を含むリアルタイムパックRTI-PCKが挿入されている。
【００１２】
１パックは2048バイトであり、AOTT用オーディオオブジェクトAOTT-AOBの先頭パックは図５（ａ）に示す構造を備え、他のパックは図５（ｂ）に示す構造を備えている。先頭パックは、▲１▼14バイトのパックヘッダ、▲２▼18バイトのシステムヘッダ、▲３▼2016バイトのオーディオデータあるいはリアルタイム情報を含んでいる。先頭パック以外のパックは、▲１▼14バイトのパックヘッダ、▲２▼2034バイトのオーディオデータあるいはリアルタイム情報を含んでいる。
【００１３】
システムヘッダは、システムスタートコード、ヘッダ長等を含み、パックヘッダは、パックスタートコード、SCR(System Clock Reference)等を含んでいる。従って、先頭パックであるか否かはシステムスタートコードを検出することにより識別することができ、又、パックはパックスタートコードを検出することにより互いに分離することができる。また、SCRはパック固有の時刻を有しているため、該SCRに基いてパックを特定することができる。
【００１４】
以上のように、各パックを分離でき、しかも、固有の時刻を有するSCRがパックヘッダに含まれているから、所定トラックの再生時に読み込まれたリアルタイム情報(歌詞)を、▲１▼先頭からのパック番号あるいは▲２▼SCRに対応させて、メモリ60aに図6（ａ）に示すように記憶する。なお、オーディオセルATS-Cが一定数のパックで構成されている場合には、パック数をカウントすることによりオーディオセルATS-Cを分離できるようになるため、図6(b)に示すようにリアルタイムパックRTI-PCKが含まれるオーディオセルATS-Cに対応させて、該リアルタイムパックのリアルタイム情報(歌詞)を記憶する。
【００１５】
（ｃ）再生制御
図7は本発明の再生制御の処理フローであり、所定のトラック(曲)を再生した後、所望の歌詞部分を指定して該歌詞部分から再生を行なう場合について説明する。又、リアルタイムパックRTI-PCKが含まれるオーディオセルATS-Cが識別可能であるとする。
システムコントローラ60は、所定トラックの再生時に読み込まれたリアルタイムパックRTI-PCKの歌詞を、該リアルタイムパックRTI-PCKが属するオーディオセルATS-Cの番号に対応させてメモリ60aに保存する(図6（ｂ）、ステップ１０１)。なお、トラックのアルバム名、アーチスト名、トラック番号も同時に保存する。
【００１６】
ついで、操作部５８より所定トラックの指定歌詞再生が指示されると、システムコントローラ60は指示されたトラックのアルバム名、アーチスト名、トラック番号、歌詞をメモリ６０ａから読み出してキャラクタ画像発生部46に入力する。キャラクタ画像発生部46は入力されたアルバム名、アーチスト名、トラック番号、歌詞よりなるキャラクタ画像を発生し、ビデオプロセッサ44を介してディスプレイ装置47に表示する(ステップ１０２)。
以後、システムコントローラ60は歌詞部分すなわち再生場所が選択されるのを待ち(ステップ１０３)、ユーザが図2に示すようにカーソルCSRで再生を希望する歌詞部分を指示すれば、次に、再生タイプが入力されるのを待つ(ステップ１０４)。再生タイプとは1回の再生、繰り返し再生の別である。
【００１７】
ユーザが再生タイプを入力すると、システムコントローラ60はステップ103で指示された歌詞に対応するオーディオセルATS-Cの番号をメモリ60aから求める。ついで、サーボ制御部18を制御して光ピックアップ14を該オーディオセルATS-Cの先頭オーディオパックA-PCKに位置決めする。しかる後、該オーディオパックA-PCK以降のオーディオパックを読み出し、指示された再生タイプに従って再生を行なう(ステップ１０５)。
【００１８】
以上では、リアルタイムパックRTI-PCKが含まれるオーディオセルATS-Cの識別が可能な場合であるが、オーディオセルATS-Cの識別が不可能な場合には，図6（ａ）の情報がメモリ60aに格納されているから、該メモリからリアルタイム情報パックRTI-PCKのパック番号を求め、該番号より幾つか前のオーディオパックA-PCKに光ピックアップ14を位置決めし、以降のオーディオパックを読み出し、指示された再生タイプに従って再生を行なう。あるいは、メモリ６０ａからリアルタイム情報パックRTI-PCKのSCRを求め、該SCRに近いSCR値を有するオーディオパックA-PCKに光ピックアップ14を位置決めし、以降のオーディオパックを読み出し、指示された再生タイプに従って再生を行なう。
【００１９】
（ｅ）変形例
以上では、本発明をオーディオデータ(音楽)と共に歌詞をDVD-Audioに記憶する場合であるが、オーディオデータ(会話)ともに語学テキスト記憶する場合等にも適用することができる。
以上では歌詞部分を1箇所指示した場合であるが2箇所指示してその間のオーディオデータを再生し、あるいは繰り返し再生を行なうようにすることもできる。
以上では、所定のトラック(曲)を再生した後、該トラックの所望の歌詞部分を指定して該歌詞部分から再生を行なう場合について説明したが、本発明は、再生済みトラックに限らない。たとえば、トラックを先読みしてリアルタイムパックのリアルタイム情報(歌詞)をメモリ60aに溜め込んでおき、指示されたトラックの歌詞を表示するようにする。
【００２０】
【発明の効果】
以上本発明によれば、テキスト情報を用いて再生位置を特定し、該位置より再生を開始し、あるいは繰り返し再生を行なうことができる。また、テキスト情報部分を2箇所指示して、その間のオーディオデータを再生し、あるいは繰り返し再生をするようにもでき、DVD-Audioのプレイアビリティを向上することができる。
【図面の簡単な説明】
【図１】  DVDプレーヤの構成図である。
【図２】動的テキスト情報（例えば曲の歌詞）表示例である。
【図３】  DVD-Audioディスクの論理データ構造説明図である。
【図４】  AOTT用オーディオオブジェクトセットAOTT-AOBSの構成図である。
【図５】  AOTT用オーディオオブジェクトのパック構成図である。
【図６】歌詞記憶例である。
【図７】本発明の再生制御の処理フローである。
【符号の説明】
１０  DVDディスク
２４  デジタル信号処理部
３２  オーディオデコーダ
４７  ディスプレイ装置
６０  システムコントローラ
６０ａ  メモリ
【図１】
0003773107.tif 000002
【図２】
0003773107.tif 000003
【図３】
0003773107.tif 000004
【図４】
0003773107.tif 000005
【図５】
0003773107.tif 000006
【図６】
0003773107.tif 000007
【図７】
0003773107.tif 000008